(57)【要約】【課題】収容物の挿脱を著しく容易に行うことができるように構成されたバッグを提供する。【解決手段】バッグとしての画材ケース１１は、ナイロン生地等のシート材により略長四角箱状に形成されたバッグ本体１２を備えており、その内部に筆洗１５や筆１６等の画材道具１４を挿脱可能に収容することができるようになっている。バッグ本体１２の上端部には、閉止手段としてのスライドファスナー３６により開閉可能に閉止される上部開口部１３が設けられている。さらに、このバッグ本体１２の前後両端面上端部には、上部開口部１３の開口縁４０に沿って付勢手段としての前後一対のコイルスプリング３７が縫着されており、同開口縁４０を押し広げるように付勢している。【選択図】　　　図１
2004129734.tif 000002
【特許請求の範囲】
【請求項１】
開口部を有するバッグ本体と、そのバッグ本体の開口部を開閉可能に閉止する閉止手段とを備え、前記開口部を通してバッグ本体内に収容物を挿脱可能に収容するように構成されたバッグであって、
前記開口部の開口縁を押し広げるように付勢する付勢手段を設けたことを特徴とするバッグ。
【請求項２】
前記付勢手段により、前記開口縁をバッグ本体への収容物の挿脱方向と直交方向に押し広げるように構成したことを特徴とする請求項１に記載のバッグ。
【請求項３】
前記バッグ本体を略四角箱状に形成するとともに、
前記付勢手段により押し広げられた開口部の開口面積が、バッグ本体の奥面の面積と同じ又はその面積を超えるように構成したことを特徴とする請求項１又は請求項２に記載のバッグ。
【発明の詳細な説明】
【０００１】
【発明の属する技術分野】
この発明は、開口部を有するバッグ本体を備え、前記開口部を通してバッグ本体内に収容物を容易に挿脱することができるように構成されたバッグに関するものである。より詳しくは、バッグ本体の開口部を閉止する閉止手段と、同開口部の開口縁を押し広げるように付勢する付勢手段とを備え、前記閉止手段による閉止状態を解除した途端に、バッグ本体の開口部がほぼ自動的に大きく開口されるように構成されたバッグに関するものである。
【０００２】
【従来の技術】
従来より、この種のバッグとしては、例えば、スケッチケースＢ型ワイドオープン、同Ｃ型スーパーオープン等の種々のスケッチケースが知られている（非特許文献１参照）。これらのスケッチケースは、画材道具等の収容物を収容するための収容空間が設けられた袋状のバッグ本体を備えている。バッグ本体の上端部には、開口部と、その開口部を開閉可能となるように閉止するスナップファスナー又はスライドファスナーとが設けられている。そして、このバッグ本体は、前記開口部を閉止した状態では、上下両端面、前後両端面及び左右両側面の６つの面からなる略直方体状に形成されており、同開口部を開口させた状態では、その上端面全体が大きく開口して収容物の挿脱を容易に行うことができるようになっている。
【０００３】
一方、開口部を開口状態に付勢するように構成されたバッグとしては、上面が開口した鞄本体の背板上縁に前記開口を開閉自在に閉鎖する蓋を連設した被せ蓋式の鞄が知られている（特許文献１参照）。この鞄は、前記背板及び蓋の内側面に内張りが張設されているうえ、前記背板及び蓋と該内張りとの間には全体が樹脂被覆された帯状の板ばねが内封されている。さらに、該板ばねの上端は蓋の先端縁に固着されると共に、その下端は背板の下部に至りかつ自由端となっている。そして、この被せ蓋式の鞄は、蓋を起立させて開口を開放した状態に保持させる板ばねの全面に樹脂被覆を施すようにしたので、該板ばねの下端角部によって内張りが破られ板ばねが外部に露出するといったことがない。さらに、内張りにより内ポケットを形成しその開口から物品を取り出す場合にも手指を傷つけることがない。また、自由端とした板ばねの下端が内ポケットの開口から不意に飛び出したりするおそれもない。
【０００４】
【非特許文献１】
「ぶんけい２００２教材教具カタログ」、株式会社文溪堂、２００２年３月、ｐ３０−３１
【特許文献１】
登録実用新案第３０４３９２９号公報
【０００５】
【発明が解決しようとする課題】
ところが、前記従来のスケッチケースでは、スナップファスナー又はスライドファスナーによる開口部の閉止状態を解除した後、さらに同開口部を前後又は左右に押し広げる操作を行うことにより、バッグ本体の上端面全体を大きく開口させることができるようになっていた。このため、このバッグ本体内から嵩張って大きな収容物を挿脱する際には、開口部の閉止状態を解除する操作と、同開口部を押し広げる操作との少なくとも２つの操作を行う必要があり、作業性があまり良好ではなかった。
【０００６】
また、前記従来の被せ蓋式の鞄に設けられた板ばねは、蓋を起立状態に保持することができる一方で、背板の上端部と、その背板に対向配置される表板の上端部との間に形成される開口（開口縁）を大きく開口させることができるようには構成されていなかった。このため、この被せ蓋式の鞄では、前記板ばねの付勢力により蓋を半自動的に起立状態にした後、前記従来のスケッチケースの場合と同様に、表板の上端部と背板の上端部とを互いに離間する方向に押し広げて収容物を挿入する必要があった。
【０００７】
この発明は、上記のような従来技術に存在する問題点に着目してなされたものである。その目的とするところは、収容物の挿脱を著しく容易に行うことができるように構成されたバッグを提供することにある。
【０００８】
【課題を解決するための手段】
上記の目的を達成するために、請求項１に記載の発明のバッグは、開口部を有するバッグ本体と、そのバッグ本体の開口部を開閉可能に閉止する閉止手段とを備え、前記開口部を通してバッグ本体内に収容物を挿脱可能に収容するように構成されたバッグであって、前記開口部の開口縁を押し広げるように付勢する付勢手段を設けたことを特徴とするものである。
【０００９】
請求項２に記載の発明のバッグは、請求項１に記載の発明において、前記付勢手段により、前記開口縁をバッグ本体への収容物の挿脱方向と直交方向に押し広げるように構成したことを特徴とするものである。
【００１０】
請求項３に記載の発明のバッグは、請求項１又は請求項２に記載の発明において、前記バッグ本体を略四角箱状に形成するとともに、前記付勢手段により押し広げられた開口部の開口面積が、バッグ本体の奥面の面積と同じ又はその面積を超えるように構成したことを特徴とするものである。
【００１１】
【発明の実施の形態】
以下、この発明を具体化した実施形態を図面に基づいて詳細に説明する。
図１及び図２に示すように、実施形態のバッグとしての画材ケース１１は、ナイロン製生地等により袋状に形成されたバッグ本体１２を備えている。このバッグ本体１２は、略直方体状（略長四角箱状）に形成されているうえ、その上端部には開口部としての上部開口部１３が設けられており、収容物としての画材道具１４を挿脱可能に収容するように構成されている。なお、前記画材道具１４は、合成樹脂により有底長四角箱状に形成された筆洗１５と、その筆洗１５内の所定位置に収容された筆１６、絵の具、パレット等とにより構成されている。
【００１２】
バッグ本体１２の底部下面には、底面長四角形状に形成された図示しない底部ゴムシートが配設されている。図３に模式的に示すように、この底部ゴムシートの上面には、硬質の合成樹脂（ポリプロピレン）により長四角板状（底部ゴムシートと同大同形状）に形成された形状保持部材としての底部補強板２１が添着されているうえ、その底部補強板２１の上面はナイロン生地により覆われている。
【００１３】
図１〜図３に示すように、バッグ本体１２の左右両側部には、前記底部ゴムシート及びナイロン生地の側縁に沿って縫合され、バッグ本体１２の上方に延びるように立設された左右一対の下部長側シート２２が設けられている。これら下部長側シート２２の上方には、図１及び図３（ａ）に示される開口状態のバッグ本体１２の上端部に位置し、同シート２２の上端縁に沿って縫合されるとともに上方に延びるように立設された左右一対の上部長側シート２３が設けられている。
【００１４】
また、このバッグ本体１２の前後両端部には、前記底部ゴムシート及びナイロン生地の端縁に沿って縫合され、バッグ本体１２の上方に延びるように立設された前後一対の下部短側シート２４が設けられている。これら下部短側シート２４の上方には、開口状態のバッグ本体１２の上端部に位置し、同シート２４の上端縁に沿って縫合されるとともに上方に延びるように立設された前後一対の上部短側シート２５が設けられている。さらに、これら下部短側シート２４及び上部短側シート２５の左右両側縁は、それぞれ下部長側シート２２及び上部長側シート２３の前後の端縁に沿って縫合されている。
【００１５】
図３（ａ）に示される開口状態のバッグ本体１２の下部、即ち図３（ｂ）に示される閉鎖状態のバッグ本体１２の前後両端部及び左右両側部には、所定の厚みを有するシート状のポリウレタンを所定位置で折曲げることによって長四角筒状に形成された形状保持部材としての側部補強筒２６が配設されている。この側部補強筒２６は、下部長側シート２２及び下部短側シート２４の内部に埋設されており、その内外両側面には各シート２２，２４の内外側部を構成する一対のナイロン生地によって覆われている。なお、この側部補強筒２６は、各シート２２，２３，２４，２５間を縫合させる際に同時に縫着されるように構成されており、下部長側シート２２及び下部短側シート２４がそれぞれ上下方向に延設されるように形状維持の役割を担っている。
【００１６】
図１及び図２に示すように、画材ケース１１の左右両側部には、バッグ本体１２を把持するための把持部としての左右一対の把持紐３１が縫着されている。この把持紐３１は、ナイロン製の環状布の中央部を底部ゴムシートの下面及び左右の下部長側シート２２の外側面に縫着させることによってバッグ本体１２と一体化されている。また、バッグ本体１２の一側部外側面にはスライドファスナーにより開閉可能に閉止された外部ポケット３２が設けられ、同バッグ本体１２の他側部内側面には内部ポケット３３が設けられており、それぞれ小物等を適宜収容するようになっている。外部及び内部ポケット３２，３３は、いずれも下部長側シート２２と同大同形状のナイロン生地により構成されているうえ、同シート２２の側面に沿って添設されている。また、下部短側シート２４の外側面中央部には、雄型面ファスナー３４が縫着されている。
【００１７】
図１に示すように、バッグ本体１２の上端部には、上部長側シート２３の上端縁に沿って前後方向に延びるように配設された閉止手段としてのスライドファスナー３６（ジッパー又はチャック）が縫着されており、上部開口部１３を開閉可能に閉止するようになっている。このスライドファスナー３６は、上部長側シート２３の上端縁全体に渡って前後方向に延びるように縫着されるとともに、上部短側シート２５の左右両端部に縫着され、同シート２５の中央部上端縁には縫着されていない。なお、このスライドファスナー３６には、前後一対のスライド金具３６ａが設けられている。また、このスライドファスナー３６の両端部には、その下面（内側面）側に、前記雄型面ファスナー３４と係脱可能に接合する図示しない雌型面ファスナーが縫着されている。
【００１８】
図１及び図３（ａ）に示すように、上部短側シート２５の上端部には、同シート２５の上端縁に沿って水平方向（左右両側方）に延びるように配設され、ステンレス鋼により横円筒状となるように形成された付勢手段及びバネ部材としての前後一対のコイルスプリング３７が設けられている。これらコイルスプリング３７は、上部短側シート２５の上端縁全体に渡って延びるように配設されているうえ、上部短側シート２５の内外側部を構成する一対のナイロン生地間に挟持されつつ縫着固定されている。なお、このコイルスプリング３７は、例えば図２及び図３（ｂ）に示されるように、任意の位置で任意の方向に弾性変形するように構成されている。
【００１９】
上記画材ケース１１の作用について以下に記載する。
この画材ケース１１の上部を構成するシート材としての上部長側シート２３は１枚のメッシュ状のナイロン生地により構成され、シート材としての上部短側シート２５は同大同形状に形成された２枚のナイロン生地を密着して縫合させることにより構成されている。このため、これらシート２３，２５は、いずれも可撓性を有しており、図１及び図２に示されるバッグ本体１２の開閉状態に合わせて適宜変形するようになっている。一方、この画材ケース１１の下部を構成する下部長側シート２２及び下部短側シート２４は、いずれも内部に形状保持部材としての軟質樹脂製の側部補強筒２６が添設されており、その側部補強筒２６の形状に合わせて底部ゴムシートの周縁に沿って概ね上下方向に延びるように立設されている。さらに、この画材ケース１１の下端部に位置するバッグ本体１２の底部（奥面としての底面）は、形状保持部材としての硬質樹脂製の底部補強板２１の形状に合わせて常に底面長四角形状を維持している。
【００２０】
この画材ケース１１のバッグ本体１２は、図１に示される開口状態と、図２に示される閉鎖状態との２種類の形態を取ることができる。
図１及び図３（ａ）に示すように、開口状態のバッグ本体１２は、全体が有底長四角筒状となるように形成されている。このバッグ本体１２は、その底部が底部補強板２１により長四角板状に形成されているうえ、その側部下部（下部長側シート２２及び下部短側シート２４）が側部補強筒２６により長四角筒状に形成されている。さらに、同バッグ本体１２の側部上部（上部長側シート２３及び上部短側シート２５）は、前後一対のコイルスプリング３７が対向する一対の上部短側シート２５の上端縁を左右両側方に突張るように付勢しており、前記バッグ本体１２の側部下部から連続しながら上方に延びる長四角筒状に形成されている。その結果、この開口状態のバッグ本体１２の上端部には、底部補強板２１の面積とほぼ同じ開口面積を有する上部開口部１３が開口されるようになっている。また、この上部開口部１３の周縁は、上部長側シート２３及び上部短側シート２５の上端縁により平面長四角環状となるように形成された開口縁４０となっている。
【００２１】
図２及び図３（ｂ）に示すように、閉鎖状態のバッグ本体１２は、全体が直方体状となるように形成されている。このバッグ本体１２は、その底部が底部補強板２１により長四角板状に形成されているうえ、その側部（下部長側シート２２及び下部短側シート２４）が側部補強筒２６により長四角筒状に形成されている。さらに、同バッグ本体１２の上端面は、スライドファスナー３６で接合された対向する一対の上部長側シート２３により略水平面に沿った長四角板状に形成されている。また、このバッグ本体１２の前後両端面上端部には、上部短側シート２５が折畳まれることにより正面略三角形状となるように形成された端部折曲部４１が設けられている。
【００２２】
この端部折曲部４１は、可撓性を有するシート材により四角形状に形成された上部短側シート２５が、スライドファスナー３６により上部開口部１３を閉止する際に、所定位置で折曲げられつつバッグ本体１２の外方へと突出することにより三角形状に形成される。この端部折曲部４１の形成過程は、まず、図３（ａ）、（ｂ）に略示される上部短側シート２５の上端部中央に位置する第１山折線４２が折曲がって同シート２５の上部コーナ部同士が近接するように配置されるとともに、コイルスプリング３７の中央部がバッグ本体１２の外方（前方又は後方）へと突出する。続いて、前記コイルスプリング３７がＵ字状となるように弾性変形しながら上部短側シート２５を仮想折曲線４３に沿うように折曲げる。
【００２３】
この仮想折曲線４３は、上部短側シート２５の下部コーナ部から第１山折線４２へ向かって斜め方向に延びる左右一対の第２山折線４３ａと、同シート２５の下端部に位置し同シート２５の下端縁に沿って水平方向に延びる谷折線４３ｂとから構成されている。そして、この端部折曲部４１は、前記コイルスプリング３７の弾性変形に引きずられるように、左右の第２山折線４３ａが山折りされるとともに谷折線４３ｂが谷折りされながら、下部短側シート２４の外側面に沿って配置される。
【００２４】
さて、図１に示される開口状態の画材ケース１１は、上述したようにバッグ本体１２の側部を構成する各シート２２，２３，２４，２５が、底部補強板２１の外周縁から上部開口部１３の外周縁（開口縁４０）へと垂直方向に延びるように形成されている。このため、この画材ケース１１内に画材道具１４を挿入する際には、最大開口面積となるように開口された上部開口部１３を通してバッグ本体１２内に画材道具１４を挿入することができ、画材道具１４を挿入しやすくするために上部開口部１３を手指で前後左右に押し広げる必要が全くない。
【００２５】
この開口状態の画材ケース１１をスライドファスナー３６により閉止して図２に示される閉鎖状態にする際には、スライドファスナー３６の前端部を一方の手指で把持した状態で、他方の手指でスライド金具３６ａを同ファスナー３６の後端部側へとスライドさせる。このとき、この画材ケース１１では、バッグ本体１２の前端部に位置するコイルスプリング３７が弾性変形されつつ、上部短側シート２５が折曲げられて端部折曲部４１が形成される。なおこのとき、前記コイルスプリング３７は、前記スライドファスナー３６の前端部を把持する手指がバッグ本体１２の前方に向かって加える引張り力により、同コイルスプリング３７の中央部が第１山折線４２に沿って容易に折曲がって弾性変形される。
【００２６】
次に、この画材ケース１１は、前記スライドファスナー３６の後端部を一方の手指で把持した状態で、他方の手指で他方のスライド金具３６ａを前端部側へとスライドさせ、前後一対のスライド金具３６ａ同士を近接配置させることにより図２に示される閉鎖状態になる。このとき、この画材ケース１１では、バッグ本体１２の側部下部が側部補強筒２６により長四角筒状を維持していることから、左右一対の上部長側シート２３はその可撓性により容易に折曲げられ、直方体状に形成されたバッグ本体１２の上面を構成している。
【００２７】
逆に、この閉鎖状態の画材ケース１１内から画材道具１４を取出す際には、まず、前後一対のスライド金具３６ａをそれぞれスライドファスナー３６の前後端部へと離間する方向にスライドさせて上部開口部１３を大きく開口させた後、その上部開口部１３を通して画材道具１４を上方に取出す。このとき、この画材ケース１１では、スライドファスナー３６による閉止状態が解除された途端に、前後一対のコイルスプリング３７の弾性変形が解除されて前後一対の端部折曲部４１が展開される。その結果、下部短側シート２４上に上部短側シート２５が上下方向に延びるように立設されるとともに、前記コイルスプリング３７が同シート２５の上端縁を左右両側方へと突張ることにより、バッグ本体１２の上部開口部１３が最大開口面積となるように開口されて画材道具１４が取出しやすくなる。
【００２８】
上記実施形態によって発揮される効果について、以下に記載する。
・　実施形態の画材ケース１１は、バッグ本体１２と、そのバッグ本体１２の上部開口部１３を開閉可能に閉止（閉鎖状態で係止）するスライドファスナー３６と、上部開口部１３の開口縁４０を押し広げるように付勢するコイルスプリング３７とを備えている。即ち、この画材ケース１１では、スライドファスナー３６による上部開口部１３の閉止状態を解除した途端に、コイルスプリング３７が上部開口部１３の開口縁４０を自動的に押し広げ、上部開口部１３を自動的にほぼ最大開口状態となるように開口させることができるように構成されている。このため、この画材ケース１１では、前記閉止状態を解除した後にバッグ本体１２の上部開口部１３を手動にて前後左右に押し広げる必要がないことから、バッグ本体１２内に画材道具１４を挿脱する際の作業を著しく容易かつ迅速に行うことができる。特に、この画材ケース１１においては、付属の筆洗１５が閉鎖状態のバッグ本体１２よりも僅かに小さく形成されているのみであることから、前記開口縁４０がほぼ最大開口状態となるように自動的に開口される点についての使い勝手は極めて良好であると言える。
【００２９】
・　この画材ケース１１では、コイルスプリング３７により、上部開口部１３の外周縁を構成する開口縁４０が、バッグ本体１２への画材道具１４の挿脱方向（上下方向）と直交方向（前後方向及び左右方向）に押し広げられるように構成されている。このため、この画材ケース１１では、前記開口縁４０を含む平面（水平面）に対して直交方向に画材道具１４が挿脱されることから、画材道具１４の外側部が開口縁４０に引掛けられるおそれが低減され、その挿脱を極めて容易かつ迅速に行うことができる。
【００３０】
・　この画材ケース１１は、バッグ本体１２が長四角箱状に形成されているうえ、コイルスプリング３７により押し広げられた上部開口部１３の開口面積が、バッグ本体１２の底面（底部補強板２１）の面積とほぼ同じとなるように構成されている。このため、この画材ケース１１では、画材道具１４の挿脱時に、その画材道具１４の外側部がバッグ本体１２の開口縁４０及び側部内側面に引掛かるおそれが著しく低減され、その挿脱を極めて容易かつ迅速に行うことができる。
【００３１】
・　この画材ケース１１では、開口縁４０の周縁部（開口縁４０の近傍）に位置する上部長側シート２３及び上部短側シート２５が、可撓性を有し折曲げ及び折畳みが容易なシート材としてのナイロン生地によって構成されている。即ち、この画材ケース１１では、開口縁４０の周縁部が容易に折畳まれて閉鎖状態に形成されやすく、コイルスプリング３７の付勢力により容易に展開されて開口状態に形成されやすくなっている。このため、この画材ケース１１では、上部開口部１３の開閉作業を容易かつ迅速に行うことができることから、画材道具１４の挿脱にかかる時間を容易に短縮することが可能である。
【００３２】
さらに、この画材ケース１１では、前記開口縁４０と対向位置にあるバッグ本体１２の下部に側部補強筒２６が添設されていることから、バッグ本体１２の下部が形状保持されやすくなって取り扱い性が良好である。加えて、側部補強筒２６の上端縁よりも僅かに上方に位置する上部短側シート２５の下端部（谷折線４３ｂ）及び上部長側シート２３の下端部に沿って、それらシート２３，２５が適切に折曲げられるようになっていることから、閉鎖状態のバッグ本体１２の形状を良好にすることが容易である。
【００３３】
・　この画材ケース１１では、スライドファスナー３６によりバッグ本体１２の上部開口部１３が開閉可能に閉止されるように構成されている。このため、この画材ケース１１では、スライド金具３６ａをスライドさせるという１動作により、左右の上部長側シート２３同士を接合させながら上部開口部１３を閉止することができる。従って、上部長側シート２３同士の接合過程と上部開口部１３の閉止過程とを通常別々に行わなければならないスナップファスナー及び面ファスナーと比較して、開閉操作が著しく容易である。
【００３４】
さらに、この画材ケース１１では、上部開口部１３がその一端部から順に閉鎖されるようになっていることから、コイルスプリング３７の折曲げを秩序正しく適切に行わせることが極めて容易である。特に、この画材ケース１１では、スライドファスナー３６の端部がコイルスプリング３７の中央部の側方（前方又は後方）に位置するとともに、そのコイルスプリング３７の両端部がスライドファスナー３６の閉止方向に沿って延びるように配設されている。このため、この画材ケース１１では、スライド金具３６ａをスライドファスナー３６の端部から中央部側へとスライドさせるのに伴って、コイルスプリング３７の弾性変形がその中央部から端部側へと順次進行することから、コイルスプリング３７が常に適切な弾性変形を引き起こすことができる。
【００３５】
・　この画材ケース１１では、コイルスプリング３７がバッグ本体１２の開口縁４０に沿って延びるように配設されている。また、この画材ケース１１では、コイルスプリング３７がスライドファスナー３６に沿って延びるように配設されている。このため、この画材ケース１１では、開口状態の上部開口部１３の形状を極めて適切に所定形状に形成させることが容易であるうえ、型くずれし難い。さらに、バッグ本体１２の開口縁４０の開閉に伴うコイルスプリング３７の弾性変形が極めて容易である。
【００３６】
なお、本実施形態は、次のように変更して具体化することも可能である。
・　バッグ本体１２を図４（ａ）、（ｂ）に示されるように構成してもよい。即ち、このバッグ本体１２の各コーナ部には、コイルスプリング３７がバッグ本体１２の上下端部間を上下に繋ぐように延設されている。なお、これらコイルスプリング３７は、バッグ本体１２の前後両端面（下部短側シート２４及び上部短側シート２５）の両側部、バッグ本体１２の左右両側面（下部長側シート２２及び上部長側シート２３）の両端部、或いはバッグ本体１２の各コーナに配設されていてもいずれであっても構わない。このように構成した場合、コイルスプリング３７が開口縁４０とバッグ本体１２の底部（奥部）との間を上下に繋ぐように配設されていることから、閉鎖状態のバッグ本体１２を開口させたとき、そのバッグ本体１２の開口縁４０が自動的に大きく開口され、画材道具１４の挿脱を容易に行うことができる。
【００３７】
・　バッグ本体１２を図５（ａ）、（ｂ）に示されるように構成してもよい。即ち、このバッグ本体１２の前後両端面には、各一対のコイルスプリング３７が正面Ｘ字状となるように配設されている。さらに、これらコイルスプリング３７は、バッグ本体１２の上下端部間を繋ぐように斜め方向に延設されている。このように構成した場合、コイルスプリング３７が開口縁４０とバッグ本体１２の底部（奥部）との間を繋ぐように配設されていることから、閉鎖状態のバッグ本体１２を開口させたとき、そのバッグ本体１２の開口縁４０が自動的に大きく開口され、画材道具１４の挿脱を容易に行うことができる。
【００３８】
・　画材ケース１１を例えば図６（ａ）に示されるように構成してもよい。即ち、この画材ケース１１は、バッグ本体１２の上端部に、金属又は合成樹脂によりコ字状となるように形成された左右一対の上部枠体５１が配設されており、それら両上部枠体５１により開口状態のバッグ本体１２の開口縁４０を構成している。さらに、これら左右一対の上部枠体５１は、その両端部に設けられた軸着部５２を軸にして相対的に回動するように構成されており、両上部枠体５１の中央部を引き離して離間させることによりバッグ本体１２は開口状態となり、両上部枠体５１同士を重ね合わせることにより閉鎖状態となるように構成されている。
【００３９】
加えて、左右の軸着部５２には、図６（ｂ）に示される付勢手段及びバネ部材としての両腕型の巻バネ５３が装着されており、左右一対の上部枠体５１を図６（ａ）、（ｃ）に示される開口状態となるように左右に押し広げつつ付勢している。また、この画材ケース１１の上端部中央には、閉止手段としての左右一対のスナップファスナー５４が配設されており、バッグ本体１２の上部開口部１３を開閉可能に閉止するようになっている。なお、前記巻バネ５３の代わりに板バネを用いてもよく、前記スナップファスナー５４の代わりに面ファスナーを用いても構わない。
【００４０】
このように構成した場合、スナップファスナー５４による上部開口部１３の閉止状態を解除することにより、巻バネ５３の付勢力により左右の上部枠体５１が互いに離間する方向に回動されて上部開口部１３が自動的に大きく開口する。従って、この画材ケース１１では、上記実施形態と同様に、バッグ本体１２内への画材道具１４の挿脱を極めて容易に行うことが可能である。
【００４１】
・　前記図６（ａ）に示される画材ケース１１において、バッグ本体１２の前後両端面上端部に、図６（ｃ）、（ｄ）に２点鎖線で略示される正面Ｕ字状に形成された付勢手段（バネ部材）及び閉止手段としての前後一対のＵ字状バネ５５を設けてもよい。このＵ字状バネ５５は、各軸着部５２の下方位置において、対向する一対の上部枠体５１の両端部同士を繋ぐように配設（係止）されている。そして、これらＵ字状バネ５５は、図６（ｃ）に示される開口状態のバッグ本体１２では左右の上部枠体５１をそれぞれ水平面に沿って配向させた状態に付勢し、図６（ｄ）に示される閉止状態のバッグ本体１２では両上部枠体５１を上下方向に配向させた状態に付勢するようになっている。なおこのとき、巻バネ５３及びスナップファスナー５４を省略してもよい。
【００４２】
このように構成した場合、Ｕ字状バネ５５の付勢力により、バッグ本体１２の上部開口部１３を閉鎖した状態で係止することができる。さらに、バッグ本体１２の上部開口部１３を開口させたとき、Ｕ字状バネ５５の付勢力により左右の上部枠体５１が水平方向に配向されて上部開口部１３が自動的に大きく開口される。従って、この画材ケース１１では、上記実施形態と同様に、バッグ本体１２内への画材道具１４の挿脱を極めて容易に行うことが可能である。
【００４３】
・　バネ部材としてのコイルスプリング３７の代わりに、形状記憶樹脂等の形状記憶部材を用いてもよい。底部補強板２１又は側部補強筒２６を省略してもよい。各シート２２，２３，２４，２５を布又は皮革により構成してもよい。コイルスプリング３７全体を樹脂フィルム等の合成樹脂により被覆してもよい。
【００４４】
・　コイルスプリング３７により押し広げられた上部開口部１３の開口面積が、バッグ本体１２の底面（底部補強板２１）の面積よりも大きくなるように構成してもよい。このように構成した場合、バッグ本体１２内への画材道具１４の挿脱がより一層容易になる。
【００４５】
さらに、前記実施形態より把握できる技術的思想について以下に記載する。
・　前記開口縁の周縁部を可撓性を有するシート材により構成するとともに、前記バッグ本体の奥部側に形状保持部材を配設したことを特徴とする請求項１から請求項３のいずれかに記載のバッグ。
【００４６】
・　前記閉止手段を前記開口縁に沿って延びるように設けられたスライドファスナーにより構成したことを特徴とする請求項１から請求項３のいずれかに記載のバッグ。
【００４７】
・　前記付勢手段を前記開口縁又は閉止手段に沿って延びるように設けたことを特徴とする請求項１から請求項３のいずれかに記載のバッグ。
・　前記付勢手段を前記開口縁とバッグ本体の奥部との間を繋ぐように配設したことを特徴とする請求項１から請求項３のいずれかに記載のバッグ。
【００４８】
【発明の効果】
以上詳述したように、この発明によれば、次のような効果を奏する。
請求項１から請求項３に記載の発明のバッグによれば、収容物の挿脱を著しく容易に行うことができる。
【図面の簡単な説明】
【図１】実施形態の開口状態の画材ケースを示す斜視図。
【図２】実施形態の閉鎖状態の画材ケースを示す斜視図。
【図３】（ａ）は実施形態の開口状態のバッグ本体を模式的に示す正面図、（ｂ）は同じく閉鎖状態のバッグ本体を模式的に示す正面図。
【図４】（ａ）は実施形態以外の開口状態のバッグ本体を模式的に示す正面図、（ｂ）は同じく閉鎖状態のバッグ本体を模式的に示す正面図。
【図５】（ａ）は実施形態以外の開口状態のバッグ本体を模式的に示す正面図、（ｂ）は同じく閉鎖状態のバッグ本体を模式的に示す正面図。
【図６】（ａ）は実施形態以外の開口状態の画材ケースを示す斜視図、（ｂ）は同じく画材ケースのバッグ本体に取着される巻バネを示す斜視図、（ｃ）は同じく開口状態のバッグ本体を模式的に示す正面図、（ｄ）は同じく閉鎖状態のバッグ本体を模式的に示す正面図。
【符号の説明】
１１…バッグとしての画材ケース、１２…バッグ本体、１３…開口部としての上部開口部、１４…収容物としての画材道具、３６…閉止手段としてのスライドファスナー、３７…付勢手段としてのコイルスプリング、４０…開口縁、５３…付勢手段としての巻バネ、５４…閉止手段としてのスナップファスナー、５５…閉止手段及び付勢手段としてのＵ字状バネ。
【図１】
2004129734.tif 000003
【図２】
2004129734.tif 000004
【図３】
2004129734.tif 000005
【図４】
2004129734.tif 000006
【図５】
2004129734.tif 000007
【図６】
2004129734.tif 000008